(57)【要約】【課題】電気ネットワークのカスタマ・サイトの複数の負荷および／またはソースに基づき、電気エネルギの集約的供給を提供するための方法およびデバイスを提案すること。【解決手段】本発明による方法は、各カスタマ・サイトの負荷および／またはソースから生じる電力の供給に関する情報の受信と、各基本ブロックが継続時間と電力とによって２次元で定義される電力の基本ブロックの決定（３４）とを備える。これらのステップの後には、セットポイント電力またはセットポイント継続時間の中から選択された制約条件に従う電力と継続時間とによって定義される集約ブロックを得るための基本的電力ブロックの空間的配列（３６，３８）が続くのであって、この空間的配列のステップは、最大電力（Ｐｍａｘ）と最大継続時間（Ｄｍａｘ）とによって定義されるブロックの空間的充填を基本ブロックにより最適化するための手順を実装する（４０）。【選択図】図２
2016214069.tif 000002
【特許請求の範囲】
【請求項１】
電気ネットワークのカスタマ・サイト（２、４）の複数の負荷および／またはソースに基づき、電気エネルギの集約的供給を提供するための方法であって、電気エネルギの各供給は所定の時間間隔における電力と継続時間とによって定義されており、各カスタマ・サイトは、前記サイトの負荷（２０、２６）の電力消費の減少または前記サイトの電気エネルギ・ソース（２２）による電気エネルギの供給に対応して、前記所定の時間間隔の間、関連する継続時間を有する電力の減少または供給の少なくとも１つの基本的供給を提案することができる、方法において、
各カスタマ・サイトの前記負荷および／またはソースから生じる電力の供給に関する情報の受信と、各カスタマ・サイトに対する、電力の少なくとも１つの基本ブロックの決定（３４）とのステップであって、電力の各基本ブロック（ＢＥｉ）は、関連する継続時間（ＤＥｉ）と関連する電力（ＰＥｉ）とによって２次元で定義される、ステップと、
電力（Ｐ）と継続時間（Ｄ）とによって定義される集約ブロックを得るための基本的電力ブロックの空間的配列（３６、３８）のステップであって、前記集約ブロックの前記電力および／または前記継続時間は、セットポイント電力（Ｐ＿ｃ）またはセットポイント継続時間（Ｄ＿ｃ）の中から選択された制約条件に従う、ステップと、
を備えており、
前記空間的配列のステップは、最大電力（Ｐｍａｘ）と最大継続時間（Ｄｍａｘ）とによって定義されるブロックの空間的充填を、基本ブロックにより最適化するための手順を実装する（４０）ことを特徴とする方法。
【請求項２】
前記空間的充填最適化手順が、減少する高さの電力レベルに基づく充填手順であり、各電力レベルの前記高さが、前記電力レベルに属する基本ブロックの電力に対応することを特徴とする、請求項１に記載の方法。
【請求項３】
前記空間的充填最適化手順の前記実装の前に、電力を低下させることにより前記基本ブロックを分類する（３６）ステップを備えることを特徴とする、請求項２に記載の方法。
【請求項４】
前記空間的充填最適化手順が、充填される前記ブロックの最大継続時間（Ｄｍａｘ）または最大電力（Ｐｍａｘ）の次元のうちの少なくとも１つに従う、オーバシュートを許容するように修正されることを特徴とする、請求項１から３のいずれか１項に記載の方法。
【請求項５】
前記集約ブロックの前記継続時間（Ｄ）をオーバシュートする基本ブロックを拒否することにより、前記集約ブロックを調節するステップをさらに備えており、前記基本ブロックの継続時間の前記オーバシュートが、前記基本ブロックの前記継続時間の所定のパーセンテージ以上であることを特徴とする、請求項４に記載の方法。
【請求項６】
前記空間的充填最適化手順の前記実装の後に、前記選択された制約条件の関数として、集約ブロックを得るための再配列および／または再スライシング（４２）のステップを備えることを特徴とする、請求項１から５のいずれか１項に記載の方法。
【請求項７】
基本ブロックの前記空間的配列が、その高さの関数として配列された複数の電力レベルを実装し、その関連する電力が前記セットポイント電力値（Ｐ＿ｃ）に最も近接する電力レベルを求めるステップ（４６）を備えることを特徴とする、請求項６に記載の方法。
【請求項８】
前記集約ブロックの電力の不足を最小化するステップ（４８）を備えており、このステップが、前記集約ブロックの充填されていない表面積が前記集約ブロックの全表面積の所定のパーセンテージ以下になるまで、前記集約ブロックの前記継続時間（Ｄ）の漸進的縮小を備え、所定の値未満の電力不足の程度を保証することを可能にすることを特徴とする、請求項７に記載の方法。
【請求項９】
基本ブロックの前記空間的配列が、その高さの関数として配列された複数の電力レベルを実装し、前記電力レベルの充填されていない表面積の程度に等しく、電力レベル当たりの電力不足の程度を計算するステップ（５４）と、電力レベル当たりの電力不足の程度の上昇する順序に前記電力レベルを再配列するステップ（５６）を備えることを特徴とする、請求項６に記載の方法。
【請求項１０】
前記電力レベルの前記再配列（５６）の後で、電力の全体的不足に関する品質基準が順守される最高の電力レベルの決定（５８）を備えることを特徴とする、請求項９に記載の方法。
【請求項１１】
前記セットポイント電力（Ｐ＿ｃ）に関する近接基準に従う少なくとも１つの電力レベルを決定するステップ（７０）をさらに備えており、前記集約ブロックの電力の選択（７２）が、前記セットポイント電力に関する前記近接基準と、電力の全体的不足に関する前記品質基準との両者に従うことを特徴とする、請求項１０に記載の方法。
【請求項１２】
電力の全体的不足に関する前記品質基準が、所定の値以下の前記集約ブロックの電力不足の程度を強要することを特徴とする、請求項１０および１１のいずれかに記載の方法。
【請求項１３】
規則的な時点で反復される、前記所定の集約ブロックを更新するステップ（８０−８８）を備えることを特徴とする、請求項１から１２のいずれか１項に記載の方法。
【請求項１４】
電気ネットワークのカスタマ・サイト（２、４）の複数の負荷および／またはソースに基づき、電気エネルギの集約的供給を提供するためのデバイスであって、電気エネルギの各供給は所定の時間間隔における電力と継続時間とによって定義されており、各カスタマ・サイトは、前記サイトの負荷（２０、２６）の電力消費の減少または前記サイトの電気エネルギ・ソース（２２）による電気エネルギの供給に対応して、前記所定の時間間隔の間、関連する継続時間を有する電力の減少または供給の少なくとも１つの基本的供給を提案することができる、デバイスにおいて、
各カスタマ・サイトの前記負荷および／またはソースから生じる電力の供給に関する情報を受け取り、各カスタマ・サイトに対して、電力の少なくとも１つの基本ブロックを決定することであって、電力の各基本ブロック（ＢＥｉ）は、関連する継続時間（ＤＥｉ）と関連する電力（ＰＥｉ）とによって２次元で定義される、受け取り、及び決定することと、
電力（Ｐ）と継続時間（Ｄ）とによって定義される集約ブロックを得るために基本的電力ブロックの空間的配列を実行することであって、前記集約ブロックの前記電力および／または前記継続時間は、セットポイント電力（Ｐ＿ｃ）またはセットポイント継続時間（Ｄ＿ｃ）の中から選択された制約条件に従い、前記空間的配列は、最大電力（Ｐｍａｘ）と最大継続時間（Ｄｍａｘ）とによって定義されるブロックの空間的充填を、基本ブロックにより最適化するための手順を実装する、実行することと、
に適した手段を備えることを特徴とするデバイス。
【請求項１５】
前記集約ブロックの前記電力（Ｐ）と前記継続時間（Ｄ）とが、前記集約ブロックの電力の全体的不足に関する品質基準に従うように、決定されることを特徴とする、請求項１４に記載の電気エネルギの集約的供給を提供するためのデバイス。
【発明の詳細な説明】
【技術分野】
【０００１】
本発明は、電気ネットワークの複数のカスタマ・サイトに基づき、所定の時間間隔の間に電気エネルギの集約的供給を提供するための方法に関する。本発明は、また、関連するデバイスにも関する。
【０００２】
本発明は、電気の生産−消費の均衡に寄与するためのインテリジェントな電気ネットワークの分野に属する。
【背景技術】
【０００３】
知られている態様で、いわゆるインテリジェントな電気ネットワークにおいては、エンド・ユーザに属するカスタマ・サイトが、電気ネットワークの均衡に寄与するものとなるように、誘導される。
【０００４】
電気ネットワークの均衡は、極端な気候条件、生産ステーションの突然の喪失、消費の不適切な予測などの事象および状況とは関係なく、停電を回避するためには、生産と消費との間において完全な同等性が恒久的に保証されることを要求する。
【０００５】
電気ネットワークの規制のためには、生産者の追加または除去、大口消費者の消費の停止など、様々な知られた手順が存在する。
【０００６】
最近では、カスタマ・サイトが、たとえば、ソーラ・パネル、ウィンド・タービン、電気エネルギ蓄積手段（たとえば、発電プラントや、バッテリ）など、生産者すなわち電気エネルギのソースを備えている場合もあり得る。
【０００７】
よって、カスタマ・サイトは、需要に応じて削減または消費を行い、ネットワーク均衡化機構の確立された規則に従って金銭的補償を受け取ることにより、電気ネットワークの均衡化への寄与を、電気ネットワークの構成員に提案することができる。電気ネットワークの構成員には、エネルギの消費者−生産者、電気ネットワークの管理者、エネルギの単数または複数の輸送業者が含まれる。
【０００８】
しかしながら、高度に可変的な能力を有するのが典型的であるカスタマ・サイトの電気エネルギに関する供給を、存在する負荷の個数と電気エネルギのソースの存在可能性とに従って個別的に処理するのは、時間的にも煩雑性の点でも不経済である。
【０００９】
したがって、複数のカスタマ・サイトから生じる電力提供の供給を、ある与えられた期間にわたり、これらのカスタマ・サイトの非消費および／または電気生産の予想の関数として、集約できる集約プラットフォームを有し、電気ネットワークの構成員に対して意味のある供給を提供することは、有益である。
【発明の概要】
【発明が解決しようとする課題】
【００１０】
本発明は、より詳しくは、このような文脈の中に存在しており、その目的は、電気エネルギの集約的供給を提供するための方法およびデバイスを提案することである。
【課題を解決するための手段】
【００１１】
この目的のために、本発明は、第１の態様によると、電気ネットワークのカスタマ・サイトの複数の負荷および／またはソースに基づき、電気エネルギの集約的供給を提供するための方法であって、電気エネルギの各供給は、所定の時間間隔における電力と継続時間とによって定義されており、各カスタマ・サイトは、サイトの負荷の電力消費の減少またはサイトの電気エネルギ・ソースによる電気エネルギの供給に対応して、所定の時間間隔の間、関連する継続時間を有する電力の減少または供給の少なくとも１つの基本的供給を提案することができる、方法を提案する。この方法は、
−  各カスタマ・サイトの負荷および／またはソースから生じる電力の供給に関する情報の受信と、各カスタマ・サイトに対する、電力の少なくとも１つの基本ブロックの決定とのステップであって、電力の各基本ブロックは、関連する継続時間と関連する電力とによって２次元で定義される、ステップと、
−  電力と継続時間とによって定義される集約ブロックを得るための基本的電力ブロックの空間的配列のステップであって、集約ブロックの前記電力および／または前記継続時間は、セットポイント電力またはセットポイント継続時間の中から選択された制約条件に従い、空間的配列のステップは、最大電力と最大継続時間とによって定義されるブロックの空間的充填を、基本ブロックにより最適化するための手順を実装する、ステップとを備える。
【００１２】
有利には、本発明の方法は、電力の基本ブロックの空間的配列のための空間的充填最適化手順を実装し、その結果として、様々なカスタマ・サイトから生じる複数の基本的供給に関して、有効であって最適化された態様で、電気エネルギの集約的供給を決定する。空間的充填の最適化は、そのようにして形成された集約ブロックにおける電気エネルギの提供の短所を最小化するという効果を有するのであるが、これらの短所は、空間的配列の充填されていない表面積すなわち「ホール」に対応する。
【００１３】
本発明による電気エネルギの集約的供給を提供するための方法は、以下の特徴の１つまたは複数を、単独で、または技術的に可能なすべての組合せに従って、提示することも可能である。
【００１４】
空間的充填最適化手順は、減少する高さの電力レベルに基づく充填手順であり、各電力レベルの高さが、前記電力レベルに属する基本ブロックの最大電力に対応する。
【００１５】
この方法は、空間的充填最適化手順の実装の前に、電力を低下させることにより前記基本ブロックを分類するステップを備える。
【００１６】
空間的充填最適化手順は、充填されるブロックの最大継続時間または最大電力の次元の少なくとも１つに従って、オーバシュートを許容するように修正される。
【００１７】
この方法は、集約ブロックの継続時間をオーバシュートする基本ブロックを拒否することにより、集約ブロックを調節するステップをさらに備えており、前記基本ブロックの継続時間のオーバシュートが、前記基本ブロックの継続時間の所定のパーセンテージ以上である。
【００１８】
この方法は、空間的充填最適化手順の実装の後に、選択された制約条件の関数として、集約ブロックを得るための再配列および／または再スライシングのステップを備える。
【００１９】
基本ブロックの空間的配列は、その高さの関数として配列された複数の電力レベルを実装し、この方法は、その関連する電力がセットポイント電力値に最も近接する電力レベルを求めるステップを備える。
【００２０】
この方法は、集約ブロックの電力の不足を最小化するステップを備えており、このステップは、前記集約ブロックの充填されていない表面積が、この集約ブロックの全表面積の所定のパーセンテージ以下になるまでの間、集約ブロックの継続時間の漸進的縮小を備え、所定の値未満の電力不足の程度を保証することを可能にする。
【００２１】
基本ブロックの空間的配列は、その高さの関数として配列された複数の電力レベルを実装し、この方法は、前記電力レベルの充填されていない表面積の程度に等しい電力レベル当たりの電力不足の程度を計算し、電力レベル当たりの電力不足の程度の上昇する順序に電力レベルを再配列するステップを備える。
【００２２】
この方法は、電力レベルの再配列の後で、電力の全体的不足に関する品質基準が順守される最高の電力レベルの決定を備える。
【００２３】
この方法は、セットポイント電力に関する近接基準に従う少なくとも１つの電力レベルを決定するステップをさらに備えており、前記集約ブロックの電力の選択は、前記セットポイント電力に関する前記近接基準と前記電力の全体的不足に関する前記品質基準との両者に従う。
【００２４】
電力の全体的不足に関する品質基準は、所定の値以下の集約ブロックの電力不足の程度を強要（ｉｍｐｏｓｅ）する。
【００２５】
この方法は、規則的な時点（ｔｅｍｐｏｒａｌ  ｉｎｓｔａｎｔｓ）で反復される、所定の集約ブロックを更新するステップを備える。
【００２６】
第２の態様によると、本発明は、電気ネットワークのカスタマ・サイトの複数の負荷および／またはソースに基づき、電気エネルギの集約的供給を提供するためのデバイスであって、電気エネルギの各供給は所定の時間間隔における電力と継続時間とによって定義されており、各カスタマ・サイトは、サイトの負荷の電力消費の減少またはサイトの電気エネルギ・ソースによる電気エネルギの供給に対応して、所定の時間間隔の間、関連する継続時間を有する電力の減少または供給の少なくとも１つの基本的供給を提案することができる、デバイスに関する。このデバイスは、
-  各カスタマ・サイトの負荷および／またはソースから生じる電力の供給に関する情報を受け取り、各カスタマ・サイトに対して、電力の少なくとも１つの基本ブロックを決定することであって、電力の各基本ブロックは、関連する継続時間と関連する電力とによって２次元で定義される、受け取り決定することと、
−  電力と継続時間とによって定義される集約ブロックを得るために基本的電力ブロックの空間的配列を実行することであって、集約ブロックの前記電力および／または前記継続時間は、セットポイント電力またはセットポイント継続時間の中から選択された制約条件に従い、空間的配列は、最大電力と最大継続時間とによって定義されるブロックの空間的充填を基本ブロックにより最適化するための手順を実装する、実行することと、に適した手段を備える。
【００２７】
ある特徴によると、集約ブロックの電力と継続時間とは、集約ブロックの電力の全体的不足に関する品質基準に従うように、決定される。
【００２８】
さらに、電気エネルギの集約的供給を提供するためのこのデバイスは、以上で簡略に説明されたすべての特徴に従い、電気エネルギの集約的供給を提供するための方法の実装のための手段を備える。
【００２９】
本発明の他の特徴および効果は、以下で説明される添付の図面を参照して、全体として非制限的な表示を介して、以下でそれについて与えられる説明から生じる。
【図面の簡単な説明】
【００３０】
【図１】生産者・消費者と電気ネットワークを操縦する（pilot）ためのシステムとの間の通信のためのシステムの概略図である。
【図２】本発明のある実施形態による、所定の時間間隔の間、電気エネルギの集約的供給を提供するための方法の主なステップの概略図である。
【図３】得られた集約ブロックの例の概略図である。
【図４】従われるべき第１の制約条件に対応する第１の実装変形例のステップの図解である。
【図５】従われるべき第２の制約条件に対応する第２の実装変形例のステップの図解である。
【図６】従われるべき第３の制約条件に対応する第３の実装変形例のステップの図解である。
【図７】本発明のある実施形態による、電気エネルギの集約的供給の更新の主なステップの概略図である。
【発明を実施するための形態】
【００３１】
以下では、本発明が、電気ネットワークのフレームワークの範囲内で、説明されることになる。
【００３２】
図１は、電気の消費者・生産者であるカスタマ・サイトと電気ネットワークを操縦するためのシステムとの通信のためのシステム１を概略的に表しており、このシステム１は、複数のカスタマ・サイト２、４と、収集および最適化プラットフォーム６と集約プラットフォーム８とを備えたエネルギ・サービス・プラットフォーム５とを備えている。エネルギ・サービス・プラットフォーム５は、アグリゲータ情報システム１４と通信する。
【００３３】
各電気生産者・消費者のカスタマ・サイト２、４は、ローカル・コントローラおよびインターフェース２４および２８と、以後は単にソースと称される電気エネルギの負荷および／またはソース２０、２２、２６とを備えており、これらについては、以下でより詳細に説明される。
【００３４】
説明を容易にするために、２つのカスタマ・サイト２、４だけが図解されているが、本発明は、明らかに、任意の数のカスタマ・サイトに適用される。
【００３５】
収集および最適化プラットフォーム６は、たとえば無線通信手段であり、カスタマ・サイト２、４と集約プラットフォーム８との間のインターフェースとして機能する通信手段を備える。
【００３６】
収集および最適化プラットフォーム６は、カスタマ・サイトの側への電力の提供に関する基本情報１０ａ、１０ｂを含むデータを受け取り、カスタマ・サイトに、基本電力の提供または電力の削減に対する要求の関数として、集約プラットフォーム８から生じる負荷およびソースを操縦するための命令１２ａ、１２ｂを戻すことができる。
【００３７】
さらに、プラットフォーム６は、カスタマ・サイトから生じそのプラットフォームによって蓄積される気象データまたは測定値に基づき、電力の基本的供給を計算する。
【００３８】
さらに、収集および最適化プラットフォーム６は、特に、電力の計算された基本的供給を集約プラットフォーム８に発送し、電力削減または電力提供のための命令を集約プラットフォーム８から受け取るために、情報１８を集約プラットフォーム８との間で交換することができる。
【００３９】
様々な情報が、予め定義された電気ネットワークにおける通信プロトコルに従ってフォーマットされたメッセージの形式で、交換される。
【００４０】
アグリゲータ１４は、（「Ｏｐｅｎ  Ａｕｔｏｍａｔｅｄ  Ｄｅｍａｎｄ  Ｒｅｓｐｏｎｓｅ」の略語である）ＯＰＥＮＡＤＲプロトコルを用いることにより、エネルギ・サービス・プラットフォーム５と通信する。
【００４１】
プラットフォーム６は、ＯＰＥＮＡＤＲプロトコルを経由して、または、プロプライエタリなプロトコルを経由して、カスタマ・サイト２、４と通信する。
【００４２】
収集および最適化プラットフォーム６と集約プラットフォーム８との間では、交換はウェブサービス型の通信によって行われる。
【００４３】
集約プラットフォーム８は、以後はアグリゲータと称される、電気ネットワークのアグリゲータ情報システム１４と通信することができる。
【００４４】
たとえば、アグリゲータは、メッセージ１６ａを介して、たとえば次の２４時間の間である所定の時間周期にわたる、それぞれが電力セットポイントと継続時間セットポイントとである、電力Ｐ＿ｃと継続時間Ｄ＿ｃとの減少または増加の供給を要求する。
【００４５】
それに応答して、集約プラットフォーム８は、カスタマ・サイト２、４の提供容量に基づいて計算された電力の基本的供給の集約に対応するように、電力の供給１６ｂを計算して、アグリゲータ１４に発送する。
【００４６】
アグリゲータ１４は、集約プラットフォーム８によって提供された供給１６ｂを、受け入れるまたは拒否する可能性を有する。受け入れる場合には、集約プラットフォーム８と収集および最適化プラットフォーム６が、受け入れられた供給１６ｂを基本的供給に分解し、収集および最適化プラットフォーム６が、電力提供および／または削減のための対応する命令をカスタマ・サイトに送信する。
【００４７】
図１の例では、カスタマ・サイト２の電気設備は、負荷２０と、電気エネルギ・ソース２２と、インターフェース２４とを備え、このインターフェース２４は、収集および最適化プラットフォーム６の操縦のための命令１２ａを受け取り、それらをローカルな負荷２０と電気エネルギ・ソース２２との操縦のための有効な命令に変換することができる。
【００４８】
たとえば、負荷は、エアコンディショニングおよび暖房システムの一部を形成するが、これは、Ｈｅａｔｉｎｇ  Ｖｅｎｔｉｌａｔｉｏｎ  ａｎｄ  Ａｉｒ  Ｃｏｎｄｉｔｉｏｎｉｎｇの頭文字であるＨＶＡＣによっても知られている。インターフェース２４は、ＨＶＡＣの負荷を、直接的にまたはＢＭＳ（「Ｂｕｉｌｄｉｎｇ  Ｍａｎａｇｅｍｅｎｔ  Ｓｙｓｔｅｍ」）操縦モジュールを通じてのいずれかで、操縦することができる。
【００４９】
電気エネルギ・ソース２２は、たとえばエネルギ蓄積システム、たとえば発電プラント、または電気エネルギを蓄積することができる１組の電池である。この場合には、関連する操縦モジュールは、プログラマブル論理コントローラ（ＰＬＣ）である。
【００５０】
図１に図解されている例では、カスタマ・サイト４は、インターフェース２８によって操縦される１組の電気的負荷２６だけを備えている。
【００５１】
収集および最適化プラットフォーム６は、たとえば、予想計算が実行される日付に対応する開始時刻Ｔ０に続く２４時間など、所定の時間周期Ｔの一部の間に、入手可能であるソースおよび負荷（消費／生産）を最適化するための計画に従い、電力提供の基本的供給を推定することができる。
【００５２】
より一般的には、所定の時間周期Ｔは、その値が任意であり、かつ急な需要に従って固定されるパラメータである。
【００５３】
たとえば、エアコンディショニングおよび暖房システムの負荷の場合には、施設（ｐｒｅｍｉｓｅｓ）の占有スケジュール、温度セットポイント、外気温および日光の予想、建物の熱モデル、ならびに公共料金（ｔａｒｉｆｆ）表などのパラメータが、用いられる。
【００５４】
消費／生産負荷の予想曲線に基づき、負荷の動作マージンを決定すること、考察される時間周期Ｔの間の電気エネルギ消費の削減と生産の推定とを識別すること、そして、カスタマ・サイトの各ソースまたは負荷に対して、電力提供の１つまたは複数の基本的供給を、それらから演繹することが可能である。
【００５５】
各基本的電力提供の供給は、電力Ｐｅと継続時間Ｄｅとによって定義され、所定の時間間隔Ｉｅで有効であり、この時間間隔Ｉｅは、予想計算が実行される所定の時間周期Ｔの範囲内に属する。
【００５６】
たとえば、ＨＶＡＣ設備などの負荷は、午前９時から１０時の間、この１時間の間の与えられた消費エネルギ削減のために、停止され得る。
【００５７】
収集および最適化プラットフォーム６が、情報１０ａ、１０ｂから生じる電力削減または刺激の基本的供給を計算した後で、集約プラットフォーム８は、電力の提供−削減または刺激の１つまたは複数の集約的供給を生じさせることができる。
【００５８】
集約プラットフォーム８は、たとえば１時間の間の数百キロワットｋＷ、または１時間の間の真の１メガワットのオーダーの電力など、セットポイント電力Ｐ＿ｃまたはセットポイント継続時間Ｄ＿ｃに少なくとも従って、電気エネルギの１つまたは複数の集約的供給を定式化することができ、その後で、アグリゲータ１４への電気エネルギのこれらの集約的供給を提案することができる。
【００５９】
よって、エネルギ・サービス・プラットフォーム５は、カスタマ・サイト２、４と情報収集者（ａｇｇｒｅｇａｔｏｒ）１４との間の仲介者としての役割を有する。
【００６０】
有利には、カスタマ・サイトの電力の供給は、それらが相互にグループ化されているという理由のために、よりよい評価を有し、したがって、カスタマ・サイト更には最終消費者が、よりよい金銭的評価を得ることが可能になる。
【００６１】
さらに、電気ネットワークの管理が柔軟性の点で向上し、カスタマ・サイトによって消費されなかったまたは生産されなかった電力の再配分が、たとえば深刻な電気の過剰消費の場合におけるピーク周期など、電気ネットワークの大局的な過負荷の場合の管理能力の向上を可能にする。
【００６２】
図２は、本発明のある実施形態における電気エネルギの集約的供給を提供するための方法の主なステップを示している。
【００６３】
この方法は、たとえば、関連するメモリに加えて、１つまたは複数のプロセッサなど、デジタル計算手段を備えたエネルギ・サービス・プラットフォーム５によって実装される、電気エネルギの集約的供給を提供するためのデバイスによって実装される。
【００６４】
制約条件を選択する第１のステップ３０の間に、順守される制約条件が、（ａ）セットポイント電力Ｐ＿ｃと品質基準の順守、（ｂ）セットポイント継続時間Ｄ＿ｃと品質基準の順守、（ｃ）セットポイント電力Ｐ＿ｃとセットポイント継続時間Ｄ＿ｃとの両方と品質基準との順守という、変形例の中から選択される。
【００６５】
電力の基本的供給を定式化するステップ３２の間には、電力提供の基本的供給が、カスタマ・サイトから生じる情報の関数として定式化される。
【００６６】
オプションであるが、基本的供給を定式化するこのステップ３２の間に、電力提供の基本的供給の選択が、
−  所定の時間周期Ｔの一部の間の供給の利用可能性、
−  カスタマ・サイトまたは供給を提案している負荷の、最近の寄与の回数であって、たとえばスライドする時間周期にわたる寄与の回数をカウントするためのシステムによって、様々なカスタマ・サイトの寄与を配分することを可能にする回数、
−  助けられるネットワークの部分に地理的に最も近接する供給を選択するように、供給がそこから生じるカスタマ・サイトの位置、
−  たとえばエコロジカルなエネルギ・ソースを優遇することを可能にする、電力提供の供給のタイプ、または、電気的エネルギのタイプ
などの、１つまたは複数の基準の関数として、実装される。
【００６７】
変形例として、電力供給を定式化するステップは、集約方法の実装の前に、実行され、ステップ３２は、電力供給をリトリーブするステップになる。
【００６８】
その後は、電力の供給の申出を表すステップ３４であって、その申出は、以後は基本ブロックと称される電気エネルギの２次元基本ブロックＢＥｉによって、基本的供給を定式化またはリトリーブするステップ３２の間に受け取られるか、または保持され、各基本ブロックＢＥｉは、継続時間ＤＥｉと、関連する電力ＰＥｉとによって定義される。
【００６９】
基本ブロックは、ソートするステップ３６の間に、電力が減少する順にソートされる。
【００７０】
基本ブロックＢＥｉは、その後で、空間的配列のステップ３８の間に、最適化された空間的充填のための手順によって、配列される。
【００７１】
集約ブロックが、電力Ｐと継続時間Ｄとの次元を有するように、ステップ３０で選択された制約条件に従って、得られる。
【００７２】
最適化された空間的配列のステップ３８は、最大電力Ｐｍａｘと最大継続時間Ｄｍａｘという次元を有する最大のブロックである、初期容器の次元に関してオーバシュートを許容するように、空間的配列のための修正された手順を適用するサブステップ４０を備えている。
【００７３】
好ましくは、「ビン・パッキング（Ｂｉｎ  ｐａｃｋｉｎｇ）」と称される手順のクラスにおいて選ばれた空間充填手順が、用いられる。
【００７４】
ある実施形態では、修正されたＦＦＤＨ（「Ｆｉｒｓｔ−Ｆｉｔ  Ｄｅｃｒｅａｓｉｎｇ  Ｈｅｉｇｈｔ」）アルゴリズムが、適用される。
【００７５】
このタイプの手順は、充填されていない表面積またはホールを最小化することを可能にする、所定の次元の容器における対象物の最適化された空間的配列の分野で知られているが、これは、本発明の場合には、電気エネルギの提供の不足に対応する。
【００７６】
好適実施形態では、ＦＦＤＨアルゴリズムの適用に関して、電力の次元は、基本ブロックの高さである。基本ブロックの配列は、電力（基本ブロックの高さ）と継続時間（基本ブロックの幅）とに関連するそれぞれの次元に従うように、回転なしでなされる。
【００７７】
ステップ４０は、連続的な電力レベルによる基本ブロックの配列を備えており、各電力レベルは、空間的配列の「段」に対応する。
【００７８】
最大の容器またはブロックは、セットポイント値以上である初期の次元Ｄｍａｘ、Ｐｍａｘを有する。
【００７９】
しかし、従来型の「ビン・パッキング」の空間的配列アルゴリズムとは対照的に、各電力レベルの継続時間に対応する、水平方向の次元のオーバシュートが許容される。
【００８０】
ある基本ブロックが、好ましくは５０％に等しいそれ自体の継続時間のあるパーセンテージＰｅｒｃ１よりも大きくＤｍａｘを超える場合には、その基本ブロックは拒絶され、別の基本ブロックが、ソートするステップ３６の後に得られた順序で、考察される。
【００８１】
空間的充填のステップ４０の次には、選ばれた制約条件の関数として再配列および／または再スライシングがなされるステップ４２が続く。
【００８２】
再配列および／または再スライシングのステップ４２の複数の実施形態が、以下で説明されるように想定される。
【００８３】
最適化された空間的配列のステップ３８が終了すると、図３における例によって図解されているように、最大電力Ｐと継続時間Ｄとの集約ブロックＢが、得られる。
【００８４】
この例では、集約ブロックＢは、高さが減少するレベルＮ１からＮ６によって配列された複数の基本ブロックＢＥｉを備えており、ここで、高さは電力に対応する。電力レベルＮｉの最大電力は、Ｐｉと示されている。
【００８５】
たとえば、図３では、第１の電力レベルＮ１は、そのレベルの基本ブロックの最大の高さであるＰＥ１に等しい高さを有する。
【００８６】
図３に見られるように、得られた集約ブロックＢは、全表面積ＰｘＤを有し、充填されていない表面積すなわち電力「ホール」を備えていて、それぞれの充填されていない表面積は提供された電力の不足に対応する。
【００８７】
このように、一定の電力レベルが、電力レベルに存在する「ホール」の表面積と等しい電力不足を示し得る。
【００８８】
集約ブロックにおける電力の全体的な不足は、それぞれの電力レベルに対する電力不足の総和に等しい。
【００８９】
実際に提供される電力レベルは、継続時間Ｄｍａｘの間に集約的基本ブロックの全体の組によって提供され得る実効電力Ｐｅｆｆｅｃｔｉｖｅに対応するのであるが、一般的な場合には、最大電力Ｐｍａｘに対応する最大電力レベル以下である。
【００９０】
有利には、全電力のあるパーセンテージＰｅｒｃ３に電力不足を制限する品質基準が、超えられないものとして、定義される。好ましくは、Ｐｅｒｃ３＝５％である。０から１００％までの間の任意のパーセンテージが、想定され得る。
【００９１】
第１の変形例によると、従われるべき制約条件が、セットポイント電力Ｐ＿ｃと、上記で定義された電力不足の制限に関する品質基準との順守を強制するが、継続時間セットポイントＤ＿ｃの順守は優先事項ではない。
【００９２】
第１の変形例に従って選ばれた制約条件の関数としての再配列および／または再スライシングのステップ４２は、図４に概略的に図解されたサブステップを備える。
【００９３】
時間的スライシングの第１のステップ４４の間には、Ｄｍａｘを超える基本ブロックが、継続時間Ｄｍａｘの集約ブロックを得るために、時間的に再分割される。
【００９４】
この実施形態では、Ｄｍａｘ＝Ｄ＿ｃである。
【００９５】
その後で、セットポイント電力Ｐ＿ｃに対応する電力レベルが、最適電力レベルを求めるステップ４６において、探索される。
【００９６】
電力レベルＮｉのブロックは、Ｐｉ−Ｐｉ−１に等しい最大電力振幅を有する。
【００９７】
セットポイント電力Ｐ＿ｃがＰｌ−１とＰｌとの間に存在するときには、Ｐ＿ｃに最も近接する電力レベルが、以下の態様で保持される。
【００９８】
（Ｐｌ−１＋Ｐｌ）／２≦Ｐ＿ｃ≦Ｐｌである場合には、電力レベルＮｌが維持され、Ｐ＝Ｐｌである。
【００９９】
Ｐｌ−１≦Ｐ＿ｃ＜（Ｐｌ−１＋Ｐｌ）／２である場合には、電力レベルＮｌ−１が維持され、Ｐ＝Ｐｌ−１である。
【０１００】
保持されているレベルと関連する電力は、最適電力レベルを探索するステップ４６の終了時における集約ブロックの電力である。
【０１０１】
よって、ステップ４６が終了するときには、集約ブロックは電力Ｐと継続時間Ｄｍａｘとを有する。
【０１０２】
ステップ４６の次には、電力不足を最小化するステップ４８が続く。
【０１０３】
このステップの間には、品質基準の充足が保証される。
【０１０４】
最初は、集約ブロックの継続時間は、Ｄ＝Ｄｍａｘである。
【０１０５】
ステップ４８の間は、Ｐｅｒｃ＿Ｐで表される集約ブロックの電力不足の程度が計算され（サブステップ４８ａ）、この不足が、不足Ｐｅｒｃ３の最大パーセンテージによって定義される品質基準を満たさない場合（サブステップ４８ｂの確認）には、ブロックの継続時間は、量δだけ縮小されるのであるが、例えば、δ＝１分である（サブステップ４８ｃ）。
【０１０６】
ある実施形態によると、与えられた継続時間Ｄに対して、電力不足の程度が各電力レベルに対して計算され、基準を充足するのかそうではないのかを確認するために、相互に加算される。
【０１０７】
さらに、継続時間Ｄをデクリメントした後で、あるチェックにより、基本ブロックがそれ自体の継続時間のあるパーセンテージＰｅｒｃ１よりも多くＤを超えるかどうかを確認する（サブステップ４８ｄ）のであるが、好ましくは、Ｐｅｒｃ１＝５０％である。肯定的な確認の場合には、基本ブロックは拒絶され、別の基本ブロックで置き換えられる。
【０１０８】
サブステップ４８ａから４８ｄは、品質基準が充足されるまで、継続時間Ｄの間、反復される。
【０１０９】
終了時には、最大電力Ｐと継続時間Ｄとの集約ブロックが得られ、電力Ｐはセットポイント電力Ｐ＿ｃに最も近接する電力レベルに対応し、継続時間Ｄはセットポイント継続時間Ｄ＿ｃ未満の可能性があるが、それにもかかわらず、電力Ｐに関してＰｅｒｃ３未満のパーセンテージに電力の不足を制限する基準を集約ブロックが充足することは保証される。
【０１１０】
次元がＰｘＤの集約ブロックで構成される供給が、供給発行ステップ５０の間に、発行される。
【０１１１】
第２の変形例によると、従われるべき制約条件が、継続時間Ｄ＿ｃの電力と、上記で定義された品質基準との順守を強制するが、電力セットポイントＰ＿ｃの順守は優先事項ではない。
【０１１２】
この第２の変形例に従って選ばれた制約条件の関数としての再配列および／または再スライシングのステップ４２は、図５に概略的に図解されているサブステップを備える。
【０１１３】
時間的スライシングの第１のステップ５２の間、Ｄ＿ｃを超える基本ブロックが、継続時間Ｄ＿ｃの集約ブロックを得るために、時間的に再分割される。集約ブロックの継続時間Ｄ＿ｃは、それ以後は修正されないため、集約ブロックに対して、Ｄ＝Ｄ＿ｃである。
【０１１４】
その後、電力不足を計算するステップ５４の間に、電力不足の程度Ｐｅｒｃ＿ｉが、各電力レベルＮｉに対して計算される。
【０１１５】
その後、電力レベルを再配列するステップ５６の間に、電力不足が増加する程度によって電力レベルがソートされ、最小の不足を備えた１つまたは複数の電力レベルから最大の電力不足を備えた電力レベルまでの集約によって、集約ブロックが得られる。
【０１１６】
ステップ５６が終了するときに、電力Ｐｍａｘと継続時間Ｄ＿ｃとを有する集約ブロックが得られる。
【０１１７】
最終的に、次のステップ５８の間には、電力不足基準が充足されているステップ５６で得られた集約ブロックの最高電力レベルＮに対応して、電力Ｐを求めるサーチが行われる。
【０１１８】
ｐ＝１から始まる確認のサブステップ５８ａの間に、われわれは、次の品質基準を確認する。
【数１】
2016214069.tif 000003
確認が肯定される場合には、われわれは、Ｎ＝Ｎｐを保持して、サブステップ５８ｂの間にｐ＝ｐ＋１というようにｐをインクリメントし、確認５８ａに戻る。
【０１１９】
不足の程度の総和がＰｅｒｃ３を超える電力レベルＮＬ＋１に到達したら、ループは停止する。
【０１２０】
品質基準が順守される最後の電力レベルＮＬが、このようにして得られている。この電力レベルＮＬの最大電力は、最後の集約ブロックの電力ＰＬである。
【０１２１】
最後の集約ブロックは、電力Ｐ＝ＰＬと継続時間Ｄ＝Ｄ＿ｃという次元を有する。
【０１２２】
ステップ６０の間に、次元ＰｘＤの集約ブロックで構成される供給が発行される。
【０１２３】
第３の変形例によると、従われるべき制約条件が、セットポイント電力Ｐ＿ｃとセットポイント継続時間Ｄ＿ｃとの両方の順守を強制し、また、品質基準の順守も強制する。
【０１２４】
この第３の変形例に従って選ばれた制約条件の関数としての再配列および／または再スライシングのステップ４２は、図６に概略的に図解されているサブステップを備える。
【０１２５】
第１のステップ６２の間、Ｄ＿ｃを超える基本ブロックが、継続時間Ｄ＿ｃの集約ブロックを得るために、時間的に再分割される。
【０１２６】
その後、電力不足を計算するステップ６４の間に、電力不足の程度Ｐｅｒｃ＿ｉが、各電力レベルＮｉに対して計算される。
【０１２７】
その後、先に説明されたステップ５６と類似的である、電力レベルを再配列するステップ６６の間に、電力不足が増加する程度によって電力レベルがソートされる。
【０１２８】
ステップ６６の終了時には、電力Ｐｍａｘと継続時間Ｄ＿ｃとを有する集約ブロックが得られる。
【０１２９】
先に説明されたステップ５８と類似的である、次のステップ６８の間に、電力不足基準が充足されているステップ６６で得られた集約ブロックの最高電力レベルＮＬに対応する電力レベルＰＬを求めるサーチが行われる。
【０１３０】
ステップ７０では、｜Ｐｉ−Ｐ＿ｃ｜≦Ｐｅｒｃ２ｘＰ＿ｃによって与えられるセットポイント電力Ｐ＿ｃに関する近接基準をその電力が充足する１つまたは複数の電力レベルを求めるサーチが、保持されているレベルの間で、行われる。
【０１３１】
Ｐｅｒｃ２の場合には、これは、１０％に等しいことが好ましい。
【０１３２】
どの電力レベルもこの関係を満たさない場合には、この方法は、集約的供給を発行せずに、終了する。
【０１３３】
電力Ｐｉの少なくとも１つのレベルＮｉが対応する場合には、最適電力選択ステップ７２におけるチェックが、Ｐｉ≧Ｐ＿ｃかどうかを確認するが、肯定的に確認される場合には、集約ブロックの最終電力Ｐ＝Ｐｉが保持される。
【０１３４】
Ｐｉ＜Ｐ＿ｃである場合には、Ｎｉよりも大きな電力レベルの間で、品質基準と近接基準とを充足するＰ＿ｃ以上の電力レベルが存在するかどうかを求めて、サーチが行われる。
【０１３５】
電力Ｐｑのそのような電力レベルＮｑが見つかる場合には、Ｐ＝Ｐｑが、最終的な集約ブロックに対して保持される電力である。
【０１３６】
ステップ７４の間には、次元ＰｘＤの集約ブロックで構成される供給が発行され、継続時間Ｄは継続時間Ｄ＿ｃに等しく、電力Ｐは先に説明されたように、ステップ７２の間に選択された電力レベルの電力である。
【０１３７】
基準を充足する電力レベルが見つからない場合には、この方法は、集約的供給を発行せずに、終了する。
【０１３８】
ある変形例として、品質基準を有効にすることを目指すために、集約ブロックの継続時間も、ある一定の余白の内部で調節される。
【０１３９】
このように、集約のおかげで、本発明によるデバイスは、複数のカスタマ・サイトの供給を相互にグループ化することが可能であり、また、十分な電力のエネルギの供給をアグリゲータ１４に送信することが可能であり、他方では、カスタマ・サイトによって送信される電力提供の基本的供給が、アグリゲータによって強制される制約条件を個別的に充足することはない。
【０１４０】
電気エネルギの基本ブロックの提供の集約的供給は、たとえばある与えられた日付Ｔ０からの２４時間の周期など、所定の時間周期Ｔの間のカスタマ・サイトによる電気エネルギの生産／消費の予測と関連する柔軟性から生じる。
【０１４１】
しかし、カスタマ・サイト当たりの生産／消費の予測は、ターゲットである所定の時間周期Ｔが進行する間に、修正を受けることがあり得るのであって、これは、たとえば、エアコンディショニングおよび暖房システムまたは光電池パネルを備えたエネルギ・ソースに対する気象変化などの動作条件の変化に起因する。
【０１４２】
適切な場合には、電気エネルギの集約的供給を、たとえば２４時間という所定の時間周期Ｔに対して毎時間ごとなど、規則的な時間間隔で確認し修正することが有益である。
【０１４３】
集約ブロックの供給が受け入れられる場合には、契約された電力Ｐ＿ｃと契約された継続時間Ｄ＿ｃとを保証するように、集約ブロックの内容を再調節することが有益である。
【０１４４】
供給は、気象条件と共に変化し、電力の衰退を経験することがあり得るため、合意された契約に従うことができるように、供給を規則的に再調節することが必要である。
【０１４５】
図７は、本発明のある実施形態による電気エネルギの集約的供給を更新する主なステップの概略を与えており、この更新するステップは、たとえば１５分ごとなど、規則的な時間間隔で実行される。
【０１４６】
第１の比較ステップ８０の間に、将来の時点ｔ＋１で集約ブロックによって提供されＰ（Ｅ（ｔ＋１））として示される実効電力が、現時点ｔで提供される実効電力Ｐ（Ｅ（ｔ））と比較される。
【０１４７】
電力Ｐ（Ｅ（ｔ＋１））がＰ（Ｅ（ｔ））よりも大きい場合には、先に選択された制約条件を満たすように、ステップ８２の間に、上述された変形例の１つに従って、電力が調節される。時点ｔにおいて保持されている一定の基本ブロックが、時点ｔ＋１では必ずしも依然として保持されているとは限らない、ということが注意されるべきである。
【０１４８】
電力Ｐ（Ｅ（ｔ＋１））が電力Ｐ（Ｅ（ｔ））未満である場合には、ステップ８４の間に、電力Ｐ（Ｅ（ｔ＋１））がＰ（Ｅ（ｔ））よりも厳密に小さいかどうかをチェックして確認する。
【０１４９】
ステップ８４において否定的な応答である場合には、そこから、時点ｔおよびｔ＋１のそれぞれにおける実効電力が等しく、したがって、何の行為も必要ない、ということが導かれる。
【０１５０】
ステップ８４において肯定的な応答である場合、したがって、電力Ｐ（Ｅ（ｔ＋１））がＰ（Ｅ（ｔ））よりも厳密に小さい場合には、ステップ８４の次に、基本ブロックを追加するステップ８６が続く。
【０１５１】
先に定義された基本ブロックは、サイトの負荷の使用予定への修正を回避するように維持される。他の基本ブロックは、望まれる電力に対する電力不足を継続時間Ｄ＿ｃの間に埋め合わせるように、選択される。
【０１５２】
その後では、先に選択された制約条件に従うように、先に説明された変形例の１つが、ステップ８８に適用される。
【符号の説明】
【０１５３】
１  システム
２  カスタマ・サイト
４  カスタマ・サイト
５  エネルギ・サービス・プラットフォーム
６  収集および最適化プラットフォーム
８  集約プラットフォーム
１０ａ  基本情報
１０ｂ  基本情報
１２ａ  命令
１２ｂ  命令
１４  アグリゲータ情報システム
１６ａ  メッセージ
１６ｂ  電力の供給
１８  情報
２０  ローカルな負荷
２２  電気エネルギ・ソース
２４  インターフェース
２６  電気的負荷
２８  インターフェース
【図１】
2016214069.tif 000004
【図２】
2016214069.tif 000005
【図３】
2016214069.tif 000006
【図４】
2016214069.tif 000007
【図５】
2016214069.tif 000008
【図６】
2016214069.tif 000009
【図７】
2016214069.tif 000010
【外国語明細書】
2016214069000001.pdf